Podtech/llm-jp-corpus-v4-ja_patent huggingface dataset:
(57)【要約】      （修正有）【課題】ルアーの一種であるメタルジグであって、重心位置の重さをその強度を保ったまま限りなく軽くし、より複雑な動きで沈むメタルジグを提供する。【解決手段】ルアー本体１の中心付近にステンレスの板２を挿入し、該中心付近では錘となる鉛を施工しないか極僅かとし、特に重量が集中する錘となる鉛部分を二カ所以上とした。【選択図】図１
0003212440.tif 000002
【実用新案登録請求の範囲】
【請求項１】
ルアー本体に、ステンレスの板を挿入し強度を保つとともに鉛部分の体積を極めて小さく施工、または鉛を施工しない部分を作ることを特徴とするメタルジグ。
【考案の詳細な説明】
【技術分野】
【０００１】  この考案は、釣りに用いるルアーの形状に関する。
【背景技術】
【０００２】  従来の釣り等で使うルアーの一種、メタルジグの形状は、ステンレスの針金に鉛を成型した形状をしていた。主に船から海底に沈め、釣竿を動かすことで沈んだり泳いだりする。
【先行技術文献】
【実用新案文献】
【０００３】
【非実用新案文献】
【０００４】
【考案の概要】
【考案が解決しようとする問題】
【０００５】  しかしながら、従来のメタルジグの形状であれば、魚を誘う動きとなる落ちる動きについては、ルアーの重心、つまり重さが集中する部分を中心に動くため複雑な落ちる動きができなかった。そこで、この考案は、重心位置の重さをその強度を保ったまま限りなく軽くし、より複雑な動きで沈むメタルジグを提供することを課題とする。
【課題を解決するための手段】
【０００６】  以上の課題を解決するために、第一考案は、従来のステンレスの針金ではなく、ステンレスの板を用いてルアーを沈める要因となる重さを得る鉛部分を二カ所以上に別け、重量が集中する部分と、ボディの中心付近で鉛を極僅かもしくは施工しない部分を設けたことを特徴とするメタルジグである。
【考案の効果】
【０００７】  第一考案によれば、メタルジグにステンレスの板を施工することによって、メタルジグの中心付近を限りなく薄く、または細くすることができ、強度を十分に保ちつつ重量が集中する部分を二カ所以上にすることが可能になったことから、一つの方向へ沈もうとするのではなく、前後にそれぞれその時のバランスや水の抵抗によって沈もうとするので、従来のメタルジグより複雑に動きながら沈める事ができた。
【図面の簡単な説明】
【図１】この考案の一実施形態を示す平面図である。
【図２】【図２−Ａ】【図２−Ｂ】は【図１】で示した位置のこの考案の一実施形態を示す断面図である。
【図３】従来技術を示す平面図である。
【考案を実施するための形態】
【０００９】    この考案の一実施形態を、図１、図２に示す。
メタルジグの本体１は、錘の部分が鉛となっており、その中心にステンレスの板２を挟み込んで形成されている。
【００１０】    「実施形態の効果」
この実施形態によれば、ステンレスの板２の働きで、メタルジグの強度を保ちながら重量を分散できより複雑な動きが出せるようになる。
【符号の説明】
【００１１】  １  メタルジグ本体の鉛    ２  ステンレス板    ３  ステンレスの針金
【図１】
0003212440.tif 000003
【図２−Ａ】
0003212440.tif 000004
【図２−Ｂ】
0003212440.tif 000005
【図３】
0003212440.tif 000006
【手続補正書】
【提出日】平成29年4月18日(2017.4.18)
【手続補正１】
【補正対象書類名】実用新案登録請求の範囲
【補正対象項目名】全文
【補正方法】変更
【補正の内容】
【実用新案登録請求の範囲】
【請求項１】
ルアー本体の中心付近にステンレスプレートなどの金属板を挿入し、メタルジグを構成する上で錘となる鉛などの金属で挟み込む。その際に錘となる鉛などの金属を図１で示すように中央付近を細くかつ薄く、もしくは中央付近のみ鉛などの金属を施工せずに成型する。中心付近に金属板を施工することで、従来のメタルジグでは強度不足となるような形状でもこの方法であれば可能になる。つまり、メタルジグ本体の中央付近には錘となる金属を極力除く、もしくは錘となる金属を無くすことでこの部分の軽量化を図り、他の部分に錘となる金属を施工することで、重心はメタルジグの中央付近にありながらそこには重さが集中する金属がごく少量、もしくはまったく無いといったこれまでに無かったメタルジグを製作することが可能となった。
【手続補正書】
【提出日】平成29年6月23日(2017.6.23)
【手続補正１】
【補正対象書類名】実用新案登録請求の範囲
【補正対象項目名】全文
【補正方法】変更
【補正の内容】
【実用新案登録請求の範囲】
【請求項１】
ルアー本体の中心付近にステンレスの板を挿入し、該中心付近では錘となる鉛を施工しないか極僅かとすることで、特に重量が集中する錘となる鉛部分を二カ所以上としたことを特徴とするメタルジグ。
(57)【要約】      （修正有）【課題】つけまつげを装着する際、接着剤に触れることなく、また、接着側の視界を大きく妨げることがなく、更に、奥二重や様々な要因から成る瞼のたるみなど、人それぞれに異なる瞼の形状に対し、装着作業を容易にする装着器具を提供する。【解決手段】つけまつげを挟むクリップ本体５に、瞼を押し上げるためのプッシャーヘッド１を装着したプッシャーアーム２を設置し、つけまつげ８を設置位置に装着すると同時に瞼を押し上げる構造とする。【選択図】図５
0003212442.tif 000002
【実用新案登録請求の範囲】
【請求項１】
つけまつげを装着する際、瞼を押し上げる又は吊り上げる必要がある場合の、つけまつげを装着する装置に瞼を押し上げる装置を組み合わせた構造を特徴とするつけまつげ装着器。
【請求項２】
つけまつげを装着する際、瞼を押し上げる又は吊り上げる必要が無い場合の、つけまつげ装着器に設置した瞼を押し上げる装置の、瞼を押し上げる機能を無効にすることができる構造を特徴とするつけまつげ装着器。
【考案の詳細な説明】
【技術の分野】
【０００１】  本考案は、つけまつげを装着する方法と、人それぞれに異なる形状の瞼に、つけまつげを装着する方法を容易にすることができるつけまつげ装着器に関する。
【背景技術】
【０００２】  つけまつげを装着する方法としては、指やピンセトなどを使っての作業が極一般的である。しかし、つけまつげの装着部に塗布した接着剤に、指先やピンセットが触れたりすることで余計な手間を掛けてしまうことがある。
【先行技術文献】
【０００３】  比較的容易に装着できる器具としては、基本的な瞼の形状に合わせたものが考えられる。下記特許文献。
【０００４】
【特許文献１】特開２０１１−１０６０６６号広報
【０００５】
【非特許文献１】貝印つけまつ毛クリップＫＱ‐０８１１貝印株式会社
【考案の概要】
【考案が解決しようとする課題】
【０００６】  本考案は、つけまつげを装着する際、接着剤に触れることなく、また、接着側の視界を大きく妨げることがなく、更に、奥二重や様々な要因から成る瞼のたるみなど、人それぞれに異なる瞼の形状に対し、装着作業を容易にする装着器具を提供する。
【課題を解決するための手段】
【０００７】  上記の課題を解決するために、つけまつげを挟むクリップの上部に、瞼を押し上げるためのプッシャー装置を取り付けることにより、どちらか一方の指で瞼を押し上げる作業が省けるため、つけまつげの装着を容易にする構造を特徴とする。
【考案の効果】
【０００８】  つけまつげをクリップで挟むことにより接着面に触れることなく、瞼を押し上げるプッサー装置により、両手の指を使うことなく片手の操作のみで正確な位置に装着することが容易になり、接着剤により生じた余計な手間を回避することが可能となる。
【図面の簡単な説明】
【０００９】
【図１】つけまつげ装着器に、つけまつげをセットする前の全体側面図である。
【図２】つけまつげ装着器に、つけまつげをセットした後の全体側面図である。
【図３】つけまつげ装着器のクリップ部を真上から見た図である。
【図４】つけまつげ装着器のクリップ部の側面図である。
【図５】顔の右側におけるつけまつげ装着イメージ図である。
【考案を実施するための形態】
【００１０】  以下、本考案の実施の形態を図に基づいて説明する。
【実施例１】
【００１１】  図１は、図右側のつけまつげ装着器のクリップにより、図左側のつけまつげを挟んでセットする前のイメージを示す。３は、瞼を押し上げるためのプッシャーアームの角度調整によるＯＮとＯＦＦの操作をするためのヒンジを示し、９は、クリップを閉じるためのバネの支点を示す。
【実施例２】
【００１２】  図２は、つけまつげ装着器のクリップにより、つけまつげを挟んでセットした後のイメージを示す。【００１３】  図３は、つけまつげ装着器のクリップ部を上から見た図である。４のつけまつげを挟む先端部は、ほぼ眼球の大きさに合わせた湾曲形状を示し、１は瞼を押し上げる状態でプッシュアップアームがＯＮの位置を示す。【００１４】  図４は、つけまつげ装着器のクリップ部を側面から見た図である。８はつけまつげの接着部を示し、２は瞼を押し上げる必要がない場合のプッシュアップアームがＯＦＦの位置を示す。【００１５】  図５は、図左側に顔の左側面の眉毛、瞼、眼球を示し、図右側の１と８は、つけまつげ装着時の位置を示す。
【産業上の利用可能性】
【００１６】  本発明によるつけまつげ装着器は、芸能やファッションの分野で活躍する女性から一般女性まで、つけまつげを活用する全ての愛用者等に好適に適用される。
【符号の説明】
【００１７】１    瞼を押し上げるためのプッシャーヘッド
２    瞼を押し上げるためのプッシャーアーム
３    瞼を押し上げるためのプッシャーアームの角度調整ヒンジ
４    つけまつげクリップ先端上部
５    つけまつげクリップ本体上部
６    つけまつげクリップ先端下部
７    つけまつげクリップ本体下部
８    つけまつげ後部
９    クリップを閉じるためのバネ
１０  クリップを開閉させるためのハンドル
１１  クリップを開閉させるためのハンドル親指用
１２  右眉毛
１３  瞼
１４  眼球
１５  まつげ
１６  瞳
【図１】
0003212442.tif 000003
【図２】
0003212442.tif 000004
【図３】
0003212442.tif 000005
【図４】
0003212442.tif 000006
【図５】
0003212442.tif 000007
【手続補正書】
【提出日】平成29年6月28日(2017.6.28)
【手続補正１】
【補正対象書類名】実用新案登録請求の範囲
【補正対象項目名】全文
【補正方法】変更
【補正の内容】
【実用新案登録請求の範囲】
【請求項１】
つけまつげを装着する際、瞼を押し上げる又は吊り上げる必要がある場合の、つけまつげを装着する装置に瞼を押し上げる装置を組み合わせた構造を特徴とするつけまつげ装着器。
【請求項２】
つけまつげを装着する際、瞼を押し上げる又は吊り上げる必要が無い場合の、つけまつげ装着器に設置した瞼を押し上げる装置の角度を調整することで、瞼を押し上げる機能を無効にすることができる構造を特徴とする請求項１記載のつけまつげ装着器。
(57)【要約】      （修正有）【課題】安価な材料で、よく鳴る切り剥ぎ鳴子を提供する。【解決手段】鳴子の本体１上部に１ｍｍ幅で２〜３ｃｍ長さの切り目３をいれた、切り剥ぎ鳴子であって、切り目３の幅が、１ｍｍ以上である。切り目３は、深さや長さによって共鳴面積や共鳴音が変化する。【選択図】図２
0003212449.tif 000002
【実用新案登録請求の範囲】
【請求項１】
全国のよさこい人（よさこいを愛する人）が、「よさこいの必携用具として用いる「鳴子」の本体（図２−１）上部に１ｍｍ幅で、２〜３ｃｍの切り目をいれる事で、上質な増幅音を発生さす事を特徴とする、切り剥ぎ鳴子。
【請求項２】
よさこいで用いる鳴子は、大きさや形、本体の厚さ等多種にわたるので、切り目の幅は、１ｍｍ以上となる場合もふくまれる。
【請求項３】
本考案の切り目は、２〜３ｃｍとその深さによって共鳴面積（同時に共鳴音）も変化するため、好みの音色を選べる打楽器。
【考案の詳細な説明】
【技術分野】
【０００１】本考案は、よく鳴る鳴子を制作する技術に関する。
【背景技術】
【０００２】従来の鳴る鳴子は、ケヤキや桜などの堅い材質の板材を使用ことで対処してきた。【０００３】しかしながら、ケヤキや桜は、材料が品薄で高価なうえ、細工もしずらい欠点がある。
【考案が解決しようとする課題】
【０００４】本考案は、以上のような従来の欠点に鑑み、安価でよく鳴る鳴子の提供を目的とする。
【課題が解決するための手段】
【０００５】上記の目的を達成するために、本考案は、鳴子本体（図１−１）の上部から厚み部分のセンターに１ｍｍの切り目を２〜３ｃｍいれる（図２−３）ことにより、増幅された高音量が得られる。
【考案の効果】
【０００６】以上の説明からあきらかなように、本考案にあっては、次に列挙する効果が得られる。
（１）［請求項１］により、バチ（図４−２）を打った時裏面に共鳴し、音量が増幅する。
（２）［請求項３］により、切り目の深さにより好みの音程に調整できる。
（３）少ない費用で、（１）、（２）の効果を取得できる。
【図面の簡単な説明】
【図４】
0003212449.tif 000003
【図１】
0003212449.tif 000004
【図２】
0003212449.tif 000005
【図３】
0003212449.tif 000006
【図４】
0003212449.tif 000007
【手続補正書】
【提出日】平成29年6月21日(2017.6.21)
【手続補正１】
【補正対象書類名】実用新案登録請求の範囲
【補正対象項目名】全文
【補正方法】変更
【補正の内容】
【実用新案登録請求の範囲】
【請求項１】
鳴子の本体上部に１ｍｍ幅で２〜３ｃｍ長さの切り目をいれたことを特徴とする、切り剥ぎ鳴子。
【請求項２】
切り目の幅が、１ｍｍ以上であることを特徴とする、請求項１に記載の切り剥ぎ鳴子。
【請求項３】
前記切り目は、深さや長さによって共鳴面積や共鳴音が変化することを特徴とする、請求項１に記載の、切り剥ぎ鳴子。
【手続補正２】
【補正対象書類名】明細書
【補正対象項目名】全文
【補正方法】変更
【補正の内容】
【考案の詳細な説明】
【技術分野】
【０００１】本考案は、よく鳴る鳴子を制作する技術に関する。
【背景技術】
【０００２】従来の鳴子は、ケヤキや桜などの堅い材質の板材を使用することで対処してきた。【０００３】しかしながら、ケヤキや桜は、材料が品薄で高価なうえ、細工もしずらい欠点がある。
【考案が解決しようとする課題】
【０００４】本考案は、以上のような従来の欠点に鑑み、安価でよく鳴る切り剥ぎ鳴子の提供を目的とする。
【課題が解決するための手段】
【０００５】上記の目的を達成するために、本考案は、鳴子本体の上部から厚み部分のセンターに１ｍｍ幅の切り目を２〜３ｃｍいれることにより、増幅された高音量が得られる。
【考案の効果】
【０００６】以上の説明からあきらかなように、本考案にあっては、次に列挙する効果が得られる。
（１）［請求項１］により、バチを打った時裏面に共鳴し、音量が増幅する。
（２）［請求項３］により、切り目の深さにより好みの音程に調整できる。
（３）少ない費用で、（１）、（２）の効果を取得できる。
【図面の簡単な説明】
【０００７】
【図１】正面図
【図２】側面図
【図３】上面図
【図４】斜視図
(57)【要約】      （修正有）【課題】可視光線に対して透明であり、硬くて薬品にも侵されにくく、表面が滑らかで汚れを落としやすい、水洗トイレ用の腰掛大便器を提供する。【解決手段】水洗トイレ用の腰掛大便器本体は、ケイ酸塩を主成分とする固体を主な原料として所定の形に成型し高温加熱して製造したケイ酸ガラス製であって、蓋部１と、便座部２と、便鉢内に洗浄水吐出口と水たまり構造を有する排水路を設けた便鉢部５とを備え、蓋部と便座部と便鉢部とを組み合わせて構成し、可視光線に対して透明であり、硬くて薬品にも侵されにくく、表面が滑らかで汚れを落としやすい構造とし、これらを一体に成したことを特徴とする。【選択図】図３
0003212447.tif 000002
【実用新案登録請求の範囲】
【請求項１】
水洗トイレに関し、可視光線に対して透明であり、硬くて薬品にも侵されにくく、表面が滑らかで汚れを落としやすい、水洗トイレ用の腰掛大便器を提供する。
〔解決手段〕  水洗トイレ用の腰掛大便器本体は、ケイ酸塩を主成分とする固体を主な原料として所定の形に成型し高温加熱して製造したケイ酸ガラス製であって、蓋部と、便座部と、便鉢内に洗浄水吐出口と水たまり構造を有する排水路を設けた便鉢部とを備え、該蓋部と該便座部と該便鉢部とを組み合わせて構成し、可視光線に対して透明であり、硬くて薬品にも侵されにくく、表面が滑らかで汚れを落としやすい構造とし、これらを一体に成したことを特徴とする水洗トイレ用の腰掛大便器。
【考案の詳細な説明】
【技術分野】
【０００１】  本考案は、水洗トイレ用の腰掛大便器に関する。
【背景技術】
【０００２】  従来より、水洗トイレ用の腰掛大便器に於いては、陶器製品が広く一般に普及している。【０００３】  また、近年、有機ガラス系素材の製品も市販され、便器自体の軽量化などに利点を得ている。【０００４】しかしながら、上述した従来の陶器製あるいは有機ガラス系素材の水洗トイレ用の腰掛大便器に於いては、排泄物を流す過程で詰まるなどした際、便鉢内部の排水路の状態を目視で確認することが難しく、その原因特定に時間を要することがあった。【０００５】また、有機ガラス系素材の水洗トイレ用の腰掛大便器に於いては、長く使い続けるうちに洗浄水等に含んだ薬品成分に侵されたり、便器表面に傷がつくなどの課題を有していた。
【考案の概要】
【考案が解決しようとする課題】
【０００６】  本考案は、水洗トイレに関し、可視光線に対して透明であり、硬くて薬品にも侵されにくく、表面が滑らかで汚れを落としやすい、水洗トイレ用の腰掛大便器を提供しようとするものである。
【課題を解決するための手段】
【０００７】  水洗トイレ用の腰掛大便器本体は、ケイ酸塩を主成分とする固体を主な原料として所定の形に成型し高温加熱して製造したケイ酸ガラス製であって、蓋部１と、便座部２と、便鉢内に洗浄水吐出口と水たまり３構造を有する排水路４を設けた便鉢部５とを備え、該蓋部１と該便座部２と該便鉢部５とを組み合わせて構成し、可視光線に対して透明であり、硬くて薬品にも侵されにくく、表面が滑らかで汚れを落としやすい構造とし、これらを一体に成したことを特徴とした。
【考案の効果】
【０００８】  本考案によれば、水洗トイレ用の腰掛大便器本体は、可視光線に対して透明であることから、便鉢内部の排水路の状況を目視で確認することが可能であり、排泄物を流した過程で詰まるなどした際に、その原因カ所を短時間に特定することが可能である。【０００９】また、ケイ酸ガラス製であることから、硬く傷つきにくく、薬品に侵されたり、清掃時に表面が傷付きにくいことが期待できる。【００１０】また、ケイ酸ガラス製であることから、表面が滑らかであり、汚れが着きにくく、汚れが落ちやすい効果が期待できる。【００１１】また、製造過程で着色剤を添加するなどして、製品の一部または全部の透明度合いを加減することが可能である。【００１２】また、本考案により、水洗トイレ用の小便器や洗面ボール等の陶器製品への応用も容易に考えられる。【００１３】また、ケイ酸ガラス製であることから、再利用が可能であり、廃棄処分に於いて細かく砕き、同様製品を製造する際の原料とすることが可能である。
【図面の簡単な説明】
【００１４】
【図１】  本考案に於ける水洗トイレ用の腰掛大便器の便鉢部の上面図である。
【図２】  図１のＡ−Ｂ矢視断面であって、本考案に於ける水洗トイレ用の腰掛大便器の便鉢部の略断面図である。
【図３】  本考案に於ける水洗トイレ用の腰掛大便器の構成を説明する略分解図である。
【考案を実施するための形態】
【００１５】  以下、本考案の実施の形態について、図面を参照して説明する。
図１・図２・図３に示すように、水洗トイレ用の腰掛大便器本体は、ケイ酸塩を主成分とする固体を主な原料として所定の形に成型し高温加熱して製造したケイ酸ガラス製であって、蓋部１と、便座部２と、便鉢内に洗浄水吐出口と水たまり３構造を有する排水路４を設けた便鉢部５とを備え、該蓋部１と該便座部２と該便鉢部５とを組み合わせて構成し、可視光線に対して透明であり、硬くて薬品にも侵されにくく、表面が滑らかで汚れを落としやすい構造とし、これらを一体に成したことを特徴とした。
【符号の説明】
【００１６】１    蓋部
２    便座部
３    水たまり
４    排水路
５    便鉢部
【図１】
0003212447.tif 000003
【図２】
0003212447.tif 000004
【図３】
0003212447.tif 000005
【手続補正書】
【提出日】平成29年6月21日(2017.6.21)
【手続補正１】
【補正対象書類名】実用新案登録請求の範囲
【補正対象項目名】全文
【補正方法】変更
【補正の内容】
【実用新案登録請求の範囲】
【請求項１】
水洗トイレ用の腰掛大便器本体は、ケイ酸塩を主成分とする固体を主な原料として所定の形に成型し高温加熱して製造したケイ酸ガラス製であって、蓋部と、便座部と、便鉢内に洗浄水吐出口と水たまり構造を有する排水路を設けた便鉢部とを備え、該蓋部と該便座部と該便鉢部とを組み合わせて構成し、可視光線に対して透明であり、硬くて薬品にも侵されにくく、表面が滑らかで汚れを落としやすい構造とし、これらを一体に成したことを特徴とする水洗トイレ用の腰掛大便器。
(57)【要約】      （修正有）【課題】刷毛の毛先部分の塗料を適量に調節し、同時に毛先をととのえる機能が装着された塗料容器を提供する。【解決手段】塗料容器２の内壁の上部に調整板１を差し渡した。刷毛の毛先の部分が、調整板１に密着して整えられ、同時に、つけすぎた塗料が塗料容器２内に落ちる。【選択図】図１
0003212445.tif 000002
【実用新案登録請求の範囲】
【請求項１】
塗料容器の内壁の上部に差し渡す板、調整板という。
これを設けたことを特徴とする。
【考案の詳細な説明】
【技術分野】
【０００１】本装置は塗料容器の内壁の上部に差し渡した板、これを調節板と言い、刷毛についた塗料のつけすぎや毛先のととのえが同時に早く簡単に行えるようにした塗料容器である。
【背景技術】
【０００２】塗料容器で刷毛についた塗料のつけすぎ、毛先のととのえが同時に行える塗科容器はなかった。
【考案の概要】
【考案が解決しようとする課題】
【０００３】刷毛に塗料のつけすぎや毛先をととのえるのに塗料容器の上部の外縁で行っていたため外を汚したり毛先の調整が困難であった。
【課題を解決するための手段】
【０００４】刷毛に塗料のつけすぎ、毛先のととのえを早く同時に簡単に行えるように塗料容器の内壁に調整板を差し渡しこれらの課題を解消した。
【考案の効果】
【０００５】調整板を差し渡すことにより刷毛の毛先の部分が調整板に密着しととのえられ同時に塗料のつけすぎが、しぼられ塗料が塗料容器内に落ちるので塗料容器の外を汚ごすことなく、すべての問題点を解消した。
【考案を実施するための形態】
【０００６】以下、本考案の実施の形態について説明する。
（イ）      塗料容器の内壁の上部に調整板を差し渡す。
【図面の簡単な説明】
【０００７】
【図１】本考案の調整板を示した塗料容器の断面図である。
【図２】本考案の調整板を示した塗料容器の平面図である。
【図３】本考案の調整板を示した塗料容器の立面図である。
【図４】本考案の調整板を示した塗料容器の斜視図である。
【図５】本考案の調整板で刷毛の使用状況を示した図である。
【符号の説明】
【０００８】１  調整板
２  塗料容器
３  取手
【図１】
0003212445.tif 000003
【図２】
0003212445.tif 000004
【図３】
0003212445.tif 000005
【図４】
0003212445.tif 000006
【図５】
0003212445.tif 000007
【手続補正書】
【提出日】平成29年6月23日(2017.6.23)
【手続補正１】
【補正対象書類名】実用新案登録請求の範囲
【補正対象項目名】全文
【補正方法】変更
【補正の内容】
【実用新案登録請求の範囲】
【請求項１】
塗料容器の内壁の上部に調整板を差し渡したことを特徴とする、塗料容器。
(57)【要約】      （修正有）【課題】播種した作物への悪影響を極小にするために除草に伴う土の移動を少なくし、小さな力で作業でき、立ったままや、しゃがんで作業することが可能で且つ、作業スペースに適した大きさで安価に調達することができる除草具を提供する。【解決手段】柄１の先端に除草刃部を設けた除草具であって、除草刃部がワイヤ支持具２にワイヤ３を張った構造とする。【選択図】図１
0003212471.tif 000002
【実用新案登録請求の範囲】
【請求項１】
柄の先端に除草刃部を設けた除草具であって、除草刃部がワイヤ支持具にワイヤを張った構造であることを特徴とする除草具。
【請求項２】
請求項１のワイヤ支持具を弾性体としたことを特徴とする除草具。
【請求項３】
請求項１のワイヤ支持具に単数、もしくは複数の除草刃部を取り付けていることを特徴とする除草具。
【考案の詳細な説明】
【技術分野】
【０００１】  本考案は、田畑の草取りの際に使用する除草具に関するものである。特に土の表面が比較的柔らかい畝等の除草に適したものである。
【背景技術】
【０００２】  田畑の草取りの際に使用する除草具は手カンナと称されている除草具が一般的に使用されている。他、三角鍬、草掻き鍬等沢山の形状の物が使われている。
【先行技術文献】
【特許文献】
【０００３】
【特許文献１】実開平１−１１２６０１号公報
【考案の概要】
【考案が解決しようとする課題】
【０００４】  効率の良い除草は、雑草の発芽直後に小まめに行うことであり、草が芽を出したら、速やかに除草する事である。この時期の畝等を小まめに除草するために必要な要件は、手軽にできること、播種した作物への悪影響を極小にするために除草に伴う土の移動を少なくすること等である。【０００５】  除草作業は来るだけ小さな力で作業できることが望まれる。【０００６】  除草作業を効率良くするためには、作業スペースに適した大きさの除草具であること。安価に調達できること等も課題である。【０００７】  除草具は立ったまま作業する場合や、しゃがんで作業する場合等にも対応できることが望ましい。
【課題を解決するための手段】
【０００８】  柄の先端に除草刃部を設けた除草具であって、除草刃部がワイヤ支持具にワイヤを張った構造とする。【０００９】  ワイヤ支持具を弾性体とする。【００１０】  ワイヤ支持具に単数、もしくは複数の除草刃部を取り付けている。
【考案の効果】
【００１１】    本考案の除草具によれば、以下に記載する効果がある。
（１）刃部がワイヤであるために粘着質の土でも付着が少なく小さな力で除草できる。
（２）刃部がワイヤであるために、ワイヤを土の表面から深さ１０ｍｍ程度所を通過させることが容易に可能である。これにより雑草を土の表面に近いところからワイヤに絡めて抜き取ることができる。この動作に伴う土の移動は極めて少なくそれだけ小さな力で作業が出来る。
（３）構造が簡単であり、ワイヤ支持具の大きさを変えることで、除草幅を作業スペースに適した大きさにすることが容易である。
（４）除草具の柄の長さは自由に変えることができ、作業者の好みの長さとして立ち作業、しゃがみ作業に対応できる。
【図面の簡単な説明】
【００１２】
【図１】本考案の除草具の１実施例を示す全体の斜視図である。
【図２】ワイヤ支持具２の先端に設けられるワイヤ３取付け部の断面を拡大した斜視図。及び、取り付けられたワイヤ３の斜視図である。斜線部分は切断面を示している。
【図３】ワイヤ３を示す斜視図である。
【考案を実施するための形態】
【００１３】  以下図面に基づいて、本考案の除草具の実施の形態をより詳細に説明する。
図１は本考案の除草具の１実施例を示す斜視図であり、柄１の先端にＵ字型のワイヤ支持具２を取付け、ワイヤ支持具２の先端部に設けた溝２１にワイヤ３を嵌め込んだ物である。
【００１４】  ワイヤ３の両端には溝２１より大きな直径の鍔３１を設けて、ワイヤ３がワイヤ支持具２から外れない勘合とする。
【００１５】  ワイヤ３の長さはワイヤ支持具２の先端部の鍔収納部２２間より短めとする。
【００１６】  ワイヤ３は、ワイヤ支持具２の弾性を利用して、ワイヤ支持具２の開口を狭めた状態で溝２１に嵌めこんで組立てる。この構成によりワイヤ３はワイヤ支持具２の先端部で引っ張られた状態に保たれる。この構造にすることによりワイヤの脱着が簡単になり、ワイヤが切れる、或いは弛んだ場合の交換が短時間にできる。
【００１７】  ワイヤ３は針金等の金属、プラスチック製線材等の化学繊維で代替しても構わない。
【００１８】  ワイヤ支持具２はＵ字型が構造上シンプルで機能的であるが、コの字でも差し支えない。また、素材は金属でも木材、竹でもワイヤを保持できればその材質は問われない。
【００１９】  ワイヤ支持具２は、ワイヤ３を取り付けて除草する際に、形状が保てる剛性があれば、厚さが薄く、幅を狭くすることで、畝などの土の崩れが少なくなる。
【００２０】  柄１の長さは立った状態で作業する場合は凡そ１３０ｃｍ、しゃがんで作業する場合は凡そ３０ｃｍ程度が適当である。作業する人の体格に合わせて最適な長さを選択できる。
【００２１】  ワイヤ支持具の先端部に取り付ける除草刃部は、溝２１を複数設けることで複数のワイヤを取り付けることが可能であり、用途に応じて単数、及び複数を選択できる。複数では、単数では難しい深度の雑草にも対応できる。
【００２２】  取り付ける除草刃部は、ワイヤ支持具の先端部に嵌め込む物の他には、螺子による締め付けにより固定された物を、必要に応じて選択できる。
【実施例１】
【００２３】  柄１は桧材を使い、太さは長辺４ｃｍ、短辺３ｃｍの矩形で角を半径５ｍｍの面取り丸みを付けたもので、長さ１３０ｃｍとした。ワイヤ支持具２は厚さ３ｍｍ、幅２ｃｍの鋼板とし、開口２０ｃｍ、高さ１０ｃｍのＵ字形に加工した。ワイヤ支持具２の溝２１は幅１．５ｍｍでワイヤ支持具２先端から１０ｍｍの位置に設けた。鍔収納部２２は深さ１ｍｍ、直径６ｍｍとした。ワイヤ３は太さ１ｍｍのステンレス製撚りワイヤとし、鍔３１を取付けた仕上がり長さ２０ｃｍとした。ワイヤ３は両端に直径５ｍｍ厚さ１．５ｍｍステンレス製円盤の鍔３１を取付けた。鍔３１の取付けは鍔３１中央に１ｍｍの穴をあけ、ワイヤを通して鍔３１の外側に結び瘤を作ってワイヤが鍔３１から抜けない構造とした。ワイヤ３の鍔３１の内側距離は２０ｃｍに対して鍔収納部２２の２３間距離２０４ｍｍとなり、ワイヤ３をワイヤ支持具２に取付けたときワイヤ３がワイヤ支持具２の弾性変形により引っ張られる状態となる。
【符号の説明】
【００２４】  １    柄
２    ワイヤ支持具
２１  溝
２２  鍔収納部
３    ワイヤ
３１  鍔
【図１】
0003212471.tif 000003
【図２】
0003212471.tif 000004
【図３】
0003212471.tif 000005
(57)【要約】      （修正有）【課題】レジンキャストキットの組立てで、フリーハンドによってドリルで穴をあける加工にて、垂直に穴をあけることができるブロックホールを提供する。【解決手段】多面体のブロックホール１０の上面３と下面４に垂直にドリル１を通すための穴を設ける。下面４の台に両面テープ２を貼って、レジンキャストキット２０を置けば垂直の穴に加工できる。【選択図】図１
0003212474.tif 000002
【実用新案登録請求の範囲】
【請求項１】
多面体のブロックには、上面と下面に穴があり、垂直にドリルを通せるので、下面の台に両面テープを貼って、レジンキャストキットを置けば、垂直な穴に加工させるブロックホール。
【考案の詳細な説明】
【技術分野】
【０００１】  本考案は、レジンキャストキットの組立てで、使用するブロックホールに関する。
【背景技術】
【０００２】  従来のレジンキャストキットの組立てでは、フリーハンドでドリルを使って穴をあけて、シンチュウ線補強をしていた（図２）。
【考案の開示】
【考案が解決しようとする課題】
【０００３】  しかし、これでは、ドリルの角度のズレた穴をあけてしまい、レジンキャストキットは組立て失敗をしていた。しかもロボットになると、パーツは曲っているとジャンク品と化してゴミ処分になっていた（図３）。
【課題を解決するための手段】
【０００４】  そこで、多面体のブロックには、上面と下面に穴があり、垂直にドリルを通せるので、下面の台に両面テープを貼ってレジンキャストキットを置けば、垂直な穴に加工させるブロックホールを考案した（図１）。このブロックホールにより、ドリルの角度は垂直になるので、レジンキャストキットはドリルの角度のズレがなくなるのである。
【考案の効果】
【０００５】  よって、本考案のブロックホールにより、レジンキャストキットの組立てでドリルを使うシンチュウ線補強では、穴のドリルの角度のズレはなくなる。またロボットのレジンキャストキットは、シンチュウ線やボールジョイントを付けるので、垂直にドリルで穴をあけられないといけないので、ブロックホールを使うと容易に組立てられるのである。加工の終ったレジンキャストキットにシンチュウ線補強した物が（図６）で、ボールジョイントを入れた物が（図７）になる。
【考案を実施するための最良の形態】
【０００６】  本考案に係るブロックホール１０は、図１に示すように、多面体のブロックには、上面３と下面４に穴があり、垂直にドリル１を通せるので、下面４の台に両面テープ２を貼って、レジンキャストキット２０を置けば垂直な穴に加工させるのである。このブロックホール１０の大きさは、ドリル１が通れるようにサイズを決めればよい。また多面体のブロックには、ドリル１が通る穴と平行になる線を描くと便利だ。素材は、軽くて丈夫なプラスチック製が望ましい。
【図面の簡単な説明】
【０００７】
【図１】  本考案に係るブロックホールを、レジンキャストキットに置いた状態の断面図である。
【図２】  従来のフリーハンドで、レジンキャストキットにドリルを使う正面図である。
【図３】  フリーハンドでシンチュウ線補強をした、レジンキャストキットを組立てた断面図である。
【図４】  ブロックホールの正面図である。
【図５】  ブロックホールの平面図である。
【図６】  ブロックホールを使って、シンチュウ線補強をしたレジンキャストキットを組立てた断面図である。
【図７】  ボールジョイントを入れたレジンキャストキットの断面図である。
【符号の説明】
【０００８】  １      ドリル
２      両面テープ
３      上面
４      下面
５      シンチュウ線
６      ボールジョイント
１０      ブロックホール
２０      レジンキャストキット
【図１】
0003212474.tif 000003
【図２】
0003212474.tif 000004
【図３】
0003212474.tif 000005
【図４】
0003212474.tif 000006
【図５】
0003212474.tif 000007
【図６】
0003212474.tif 000008
【図７】
0003212474.tif 000009
(57)【要約】      （修正有）【課題】飛んでいる銀ヤンマ、オニヤンマを捕獲するヤンマ捕り具を提供する。【解決手段】輪ゴムの縁に曲げた釘を通し、曲げた釘の先端にハンダを付け、その輪ゴムに糸を結び付けた仕掛けである。釘の部分を親指と人差し指で挟み、片一方の手の親指と人差し指で糸を挟み両手を開いて輪ゴムを延ばして飛んでいるヤンマに向かって空に飛ばす。ヤンマはこの捕り具のハンダの付いた釘を昆虫と間違え食べようとして糸に絡まり地上に落下したところを捕獲する。【選択図】図１
0003212475.tif 000002
【実用新案登録請求の範囲】
【請求項１】
輪ゴムの縁に曲げた釘を通し、曲げた釘の先端にハンダを付け、その輪ゴムに糸を結び付けた仕掛けを飛ばし、ヤンマを捕獲することを特徴とするヤンマ捕り具。
【考案の詳細な説明】
【技術分野】
【０００１】  本考案は、飛んでいる銀ヤンマ、オニヤンマを捕獲するヤンマ捕り具に関するものである。
【背景技術】
【０００２】  従来、ヤンマを捕獲する時は網で捕獲していた。
いままで一般にトンボを捕獲する場合は網で捕る、トリモチで捕る、糸の両端に小石を結びそれを飛んでいるトンボをめがけて投げその糸に絡まり捕らえる方法がありました。
【先行技術文献】
【特許文献】
【０００３】
【特許文献１】特開２０１７−１８０３３号公報
【特許文献２】実用新案登録第３０８１９３６号公報
【考案の概要】
【考案が解決しようとする課題】
【０００４】  従来より、次のような問題点があった。
（イ）ヤンマが、池、川の縁の草むらに停まっている所を網で捕獲していたが、草むらに    停まっている所は見つけ難いし、池、川の縁は危険で近づけない。
（ロ）手の届かない高く速く飛んでいるヤンマを網で捕獲するのは難しかった。
本考案は、以上の問題点を解決しようとするものである。
【課題を解決するための手段】
【０００５】  輪ゴムの縁に曲げた釘を通し、曲げた釘の先端にハンダを付け、その輪ゴムに糸を結び付けた仕掛けを飛ばし、ヤンマを捕獲する。
以上を特徴とするヤンマ捕り具である。
【考案の効果】
【０００６】（イ）池、川の縁の草むらに停まっているヤンマに近づかないので危険がない。
（ロ）手の届かない高く速く飛んでいるヤンマを捕獲することができる。
【図面の簡単な説明】
【０００７】
【図１】  本考案の斜視図である。
【図２】  本考案を分解した状態を示した説明図である。
【図３】  本考案の使用状態を示した斜視図である。
【考案を実施するための形態】
【０００８】  以下、本考案の実施の形態を説明する。
（イ）二つ折りに曲げた釘（１）に輪ゴム（２）の縁を通す。
（ロ）二つ折りに曲げた釘（１）の先端部分をハンダ（３）を付ける。
（ハ）釘（１）の先端にハンダを（３）を付けた輪ゴム（２）の縁に糸（４）を結び付け    る
本考案は、以上の構成によりなっている。
本考案の使い方を説明する。
この捕り具、釘（２）の部分を親指と人差し指で挟み、片一方の手の親指と人差し指で糸（４）を挟み両手を開いて輪ゴム（１）を延ばして飛んでいるヤンマに向かって空に飛ばす。
ヤンマはこの捕り具のハンダの付いた釘（２）を昆虫と間違え食べようとして糸（４）に絡まり地上に落下したところを捕獲する。
【符号の説明】
【０００９】      １  釘
２  輪ゴム
３  ハンダ
４  糸
【図１】
0003212475.tif 000003
【図２】
0003212475.tif 000004
【図３】
0003212475.tif 000005
(57)【要約】      （修正有）【課題】苗字と名前とを一緒に刻字する場合であっても印面内に大きく刻字することができ、個々の文字が非常に読みやすく、また多数の文字を刻字する場合でも、各文字の配列にそれほど神経を使う必要がなく、印鑑の作成を簡単かつ迅速に行なうことが可能な印鑑を提供する。【解決手段】印鑑１１は、１）印面に２種類の文字１２、１３を重ねて彫刻したことを特徴とする。２）２種類の文字が、姓と名とからなる。３）２種類の文字の一方が、袋文字からなる。４）２種類の文字が、一方が太字であり、他方が細字からなる。【選択図】図１
0003212995.tif 000002
【実用新案登録請求の範囲】
【請求項１】
印面に２種類の文字を重ねて彫刻したことを特徴とする印鑑。
【請求項２】
２種類の文字が、姓と名とからなる請求項１に記載の印鑑。
【請求項３】
２種類の文字の一方が、袋文字からなる請求項１に記載の印鑑。
【請求項４】
２種類の文字が、一方が太字であり、他方が細字からなる請求項１に記載の印鑑。
【考案の詳細な説明】
【技術分野】
【０００１】
この考案は、個人や個々の団体、個々の企業等の特定が容易で、しかも美感にも優れた印鑑に関する。
【背景技術】
【０００２】
従来の印鑑は、苗字のみの印面を備えたものがほとんであり、印鑑証明用の印鑑等において姓のみならず名前も刻字されたものが用いられている。そしてこのような印鑑は苗字のみの印鑑と同様に上下あるいは左右に、また縦書きとしてあるいは横書きとして刻字されている。
【０００３】
このような印鑑の刻字の方式は会社の代表者印や社印等においてもほぼ同様であり、特に丸印においては周囲に会社名を刻字し、中央に例えば「代表者の印」のように刻字することが行なわれている。
【先行技術文献】
【特許文献】
【０００４】
【特許文献１】特になし
【考案の概要】
【考案が解決しようとする課題】
【０００５】
ところが、これら従来の印鑑には、次のような課題があった。すなわち、苗字と名前とを一緒に刻字しようとすると、個々の文字が限られた印面内に細かく刻字され、個々の文字が非常に読み取りづらくなってしまう。
【０００６】
また、上記従来の印鑑においては、多数の文字を刻字しなければないないため、各文字の配列にも神経を使わなければならず、印鑑の作成に多大の手間と費用がかかってしまう。
【０００７】
そこで本考案は、上述の課題を解消すべく案出されたもので、苗字と名前とを一緒に刻字する場合であっても印面内に大きく刻字することができ、個々の文字が非常に読みやすく、また多数の文字を刻字する場合でも、各文字の配列にそれほど神経を使う必要がなく、印鑑の作成を簡単かつ迅速に行なうことが可能な印鑑の提供を目的とする。
【課題を解決するための手段】
【０００８】
上述の目的を達成すべくこの考案の印鑑は、印面に２種類の文字を重ねて彫刻したことを特徴とするものである。
【０００９】
この考案の印鑑は、上記２種類の文字が、姓と名とからなることをも特徴とするものである。
【００１０】
この考案の印鑑は、上記２種類の文字の一方が、袋文字からなることをも特徴とするものである。
【００１１】
この考案の印鑑は、上記２種類の文字が、一方が太字であり、他方が細字からなることをも特徴とするものである。
【００１２】
この考案は以上のように構成したので、苗字と名前とを一緒に刻字する場合であっても印面内に大きく刻字することができ、個々の文字が非常に読みやすく、また多数の文字を刻字する場合でも、各文字の配列にそれほど神経を使う必要がなく、印鑑の作成を簡単かつ迅速に行なうことが可能な印鑑を提供することができるようになった。
【図面の簡単な説明】
【００１３】
【図１】この考案の印鑑の１実施例を示す斜視図である。
【図２】その印面を示す正面図である。
【図３】その印影を示す平面図である。
【考案を実施するための形態】
【００１４】
以下、この考案の印鑑の実施の形態を図面に基いて詳細に説明する。この考案は、例えば苗字と名前とを同時に刻字された印面として、あるいは会社の代表者印や社印等において、会社名と代表者の印の文字を組み合わせた印面として刻字した印鑑等に適用される。
【００１５】
図１はこの考案の印鑑の１実施例を示す斜視図、図２はその印面を示す正面図、図３はその印影を示す平面図である。
図１ないし図３において、印鑑１１はその印面に２種類の文字を重ねて刻字されている。第１の種類の文字１２は「遠藤」という苗字であり、第２の種類の文字１３は「秀山」という名前である。そして、第１の種類の「遠藤」という文字１２は、袋文字であり、２重線の輪郭内は空白となっている。
【００１６】
また、上記２種類の文字のうちの第２の種類の「秀山」という文字１３は、通常の書体（朱字）からなっている。したがって、第１の種類の文字１２と第２の種類の文字１３とは確実に識別することができ、何らの問題もなく読み取ることが可能である。
【００１７】
もちろん、この考案の印鑑としては、上記２種類の文字の組合せ方が逆であっても、また一方が太字であり、他方が細字からなるものであっても、さらにその他の両者を識別可能な文字の組み合わせであればその組み合わせは自由である。
【００１８】
なお、この考案の印鑑の上記２種類の文字は図では裏字として彫刻されており、書面に押印された際に図３に示すように表字になるものであることはいうまでもない。
【産業上の利用可能性】
【００１９】
この考案は以上のように構成したので、苗字と名前の組み合わせのみならず、適宜の組み合わせの印鑑を提供することができるようになった。
【符号の説明】
【００２０】
１１  印鑑
１２  第１の種類の文字
１３  第２の種類の文字
【図１】
0003212995.tif 000003
【図２】
0003212995.tif 000004
【図３】
0003212995.tif 000005
(57)【要約】      （修正有）【課題】右利きの人及び左利きの人のいずれかである場合に加え、目の不自由な人であっても書類等を挟んだり取り出したりし易い形状であって、挟んだ書類等が切欠部から露出すること無く保管できることを特長とするクリアファイルを提供する。【解決手段】ポリプロピレンなどのプラスチックシートを二つ折りにし折曲辺２に隣接した底辺が溶着加工によって接合され、それら２枚のシートの間に書類等を挟んで使用するクリアファイルであって、一方のシート３の辺４には切欠部５が形成され、他方のシート６の辺７にも切欠部８が形成され、それら切欠部５と切欠部８は閉じた時に一部が重なる位置に形成されているため、欠損部が形成される。【選択図】図２
0003212998.tif 000002
【実用新案登録請求の範囲】
【請求項１】
型抜きされた1枚のプラスチックシートを二つに折り、折曲辺と底辺1を溶着加工して形成されたクリアファイルであって、一方のシート３の折曲辺２と隣接していない辺４に弓形の切欠部５を形成し、他方のシート６の折曲辺２と隣接していない辺７に形成された弓形の切欠部８とが、一部重なり合う位置に形成され、辺４と辺７を重ね合わせた際に欠損部９を形成することを特長とするクリアファイル。
【請求項２】
前記一方の切欠部５と他方の切欠部８は共に適合する定形サイズの書類を挟んだ際に、書類の一部が露出しないことを特長とする請求項１のクリアファイル。
【考案の詳細な説明】
【技術分野】
【０００１】
本考案はクリアファイルに関するものである。
【背景技術】
【０００２】
クリアファイルは、ポリプロピレン等のプラスチックシートを2つ折りにして下部の一辺を溶着加工して形成されていて、その間に書類を挟んで使用するのが一般的である。
【考案の概要】
【考案が解決しようとする課題】
【０００３】
一般的に広く使用されているクリアファイルは、開きやすくするため指ぬきと呼ばれる真円を二等分した形状の半円形の切欠部が、一方の面の折曲辺とは繋がっていない一つの辺のみに形成されているが、左利きの人にとっては使いにくい形状であり不便である。それを解消するため同様の半円形の切欠部を他方の面にも形成し左利きの人にも使いやすくしたクリアファイルも使用されることがあるが、半円形の切欠部では、挟んだ書類の一部が露出してしまうこともあるため、書類が汚れたり破損するなど書類を保護できていなかった。さらに、目が不自由な人にとっては、指ぬきの位置が分かりにくく、使いにくいものであった。
【課題を解決するための手段】
【０００４】
本考案は、ポリプロピレンなどのプラスチックシートを２つ折りにし、折曲辺に隣接する一方の辺が溶着加工によって接合され、その2枚のシートの間に書類等を挟んで使用するクリアファイルであって、一方の面の折曲辺とは繋がっていない一つの辺には弓形の切欠部が形成され、他方の面の折曲辺とは繋がっていない一つの辺にも同様に弓形の切欠部が形成されており、適合する定形サイズの書類等を挟んだ際にその一部が露出することが無いように形成されている。前記の一方の面の切欠部と他方の面の切欠部は、一部が重なる位置に形成され、一方のシートと他方のシートを重ね合わせた時に、挟んだ適合する定形サイズの書類を露出させない大きさの欠損部が形成されており、閉じられた状態の切欠部のある辺を指でなぞることにより、目の不自由な人でも容易に指ぬきの位置を認知することができる。
【考案の効果】
【０００５】
本考案では、一方のシートに形成された切欠部と他方のシートに形成された切欠部により、右利きの人と左利きの人のいずれであってもクリアファイルを開閉しやすく、容易に書類等を挟んだり取り出すことができる。さらに、切欠部の形状を半楕円形とすることにより、挟んだ適正サイズの書類が切欠部から露出することなく、挟んだ書類が汚れたり破損することが無い。
また、一方のシート及び他方のシートの折曲辺に接合しない、それぞれ一つの辺に形成された半楕円形の切欠部は一部が重なり合うよう設計されているため、一方の面及び他方の面を閉じた際に切欠部が形成され、目の不自由な人でも指でなぞるだけで容易に切欠部の位置を認知することができるため使いやすい。
【図面の簡単な説明】
【０００６】
【図１】型抜きされたプラスチックシートを示す図
【図２】クリアファイルとして仕上げた状態を示す図
【図３】クリアファイルを使用している状態を示す図
【図４】クリアファイルを使用している状態を示す図
【考案を実施するための形態】
【０００７】
以下、本考案の形態を図に基づいて説明する。
【実施例】
【０００８】
図1は型抜きされた1枚のプラスチックシート製のシートである。このプラスチック製のシートを2つ折りにして重ね合わせ、重ね合った底辺１を溶着加工により接合することによりクリアファイルが形成される。図２の示す通り、書類やシート状の物10を収納するケースであるが、最も標準的な仕様においては日本工業規格によって定められたA4、B5などのサイズに合わせて作成され、クリアファイル本体のサイズは収納する書類等より僅かに大きなサイズとなる。右利きの人向けに折曲辺２を左の位置として見た場合は、手前側となる一方のシート3の辺4の上部に指ぬきと呼ばれる弓形の切欠部5が形成され、他方のシート6の辺7にも同型の弓形の切欠部8が形成される。手前側の一方の切欠部5と他方の切欠部は一部が重なり合う位置に形成され、それぞれの辺4と辺７が重なった際に欠損部9が形成される。そのため図4の示す通り、閉じられた状態の切欠部5及び切欠部8に触れることにより、目の不自由な人であっても容易に欠損部9の位置を認知できることから、指ぬきと呼ばれる切欠部の位置が目視することなく指だけで認知することが可能である。図３の示す通りクリアファイル２に適合するサイズの書類やシート状の物を挟んだ場合に、切欠部を弓形とすることにより挟んだ書類やシート状の物が露出しないようになっている。そのため、挟んだ書類やシート状の物が汚れたり破損することなく保管することができる。
【符号の説明】
【０００９】
１    底辺
２    折曲辺
３    一方のシート
４    辺
5    切欠部
6    他方のシート
7    辺
8    切欠部
9    欠損部
10  書類やシート状の物
【図１】
0003212998.tif 000003
【図２】
0003212998.tif 000004
【図３】
0003212998.tif 000005
【図４】
0003212998.tif 000006